(57)【要約】      （修正有）【課題】余分なエネルギー消費が生じることがなく、熱効率を向上させるようにした面状発熱体を提供する。また、電磁的ノイズが発生し、機器に対して電磁的障害を与えたり、電磁波が人体に悪影響を与える危険のない面状発熱体を提供する。【解決手段】面状発熱体１は、変形自在の炭素繊維糸よりなるカーボン抵抗体を、可撓性を有する絶縁被覆材で被覆してカーボン通電線２を形成し、このカーボン通電線を面状部材に配設した。また面状発熱体は、変形自在の炭素繊維糸よりなるカーボン抵抗体を、絶縁部材に埋設した。【選択図】図１
2009259751.tif 000002
【特許請求の範囲】
【請求項１】
変形自在の炭素繊維糸よりなるカーボン抵抗体を、可撓性を有する絶縁被覆材で被覆してカーボン通電線を形成し、このカーボン通電線を面状部材に配設したことを特徴とする、面状発熱体。
【請求項２】
変形自在の炭素繊維糸よりなるカーボン抵抗体を、絶縁部材に埋設したことを特徴とする、面状発熱体。
【発明の詳細な説明】
【技術分野】
【０００１】  本発明は、暖房器具やその他加熱器具の発熱体として有用な面状発熱体に関するものである。
【背景技術】
【０００２】  従来、電気毛布や電気カーペットなどの面状発熱体は、毛布やカーペットの内部に被覆を施したしなやかな電熱線（ニクロム線やタングステン線）が埋め込まれており、これに通電することで発生するジュール熱で毛布やカーペットが暖まるようになっている。また床暖房や融雪シートなどにも、面状の部材に電熱線が埋め込まれており、これに通電することで発生するジュール熱で床を暖めたり、積もった雪を融かしている。
【発明の開示】
【発明が解決しようとする課題】
【０００３】  しかしながら、熱源として使用されているニクロム線やタングステン線の電気抵抗率は温度の上昇とともに著しく大きくなるので、これを用いた機器の突入電流が大きく、電源をオンした瞬間に定格の約１０倍程度のラッシュ電流が流れる。このため電磁的ノイズが発生し、機器に対して電磁的障害を与えたり、電磁波が人体に悪影響を与える危険がある。【０００４】  本発明は、上記したような従来の問題点に鑑みて考えられたもので、余分なエネルギー消費が生じることがなく、熱効率を向上させるようにした面状発熱体を提供することを目的とする。
また本発明は、機器に対して電磁的障害のない面状発熱体を提供することを目的とする。
【課題を解決するための手段】
【０００５】  上記のような目的を達成するために、本発明の面状発熱体は、変形自在の炭素繊維糸よりなるカーボン抵抗体を、可撓性を有する絶縁被覆材で被覆してカーボン通電線を形成し、このカーボン通電線を面状部材に配設したことを特徴とするものである。
また本発明の面状発熱体は、変形自在の炭素繊維糸よりなるカーボン抵抗体を、絶縁部材に埋設したことを特徴とするものである。【０００６】  上記課題解決手段による作用は、次のとおりである。
炭素繊維は、電気抵抗値が大きく、発熱しやすいものである。このような炭素繊維糸よりなるカーボン通電線またはカーボン抵抗体に導通することによって、カーボン通電線またはカーボン抵抗体が発熱する。炭素繊維は、温度上昇とともに抵抗値が低下する負の抵抗温度特性を有しているため、本発明の面状発熱体を使用することによって、電圧印加時の突入電流が小さくなる。
【発明の効果】
【０００７】  上記構成の本発明によれば、突入電流を小さくすることができるので、余分なエネルギー消費が生じることがなく、熱効率を向上させることができ、しかも機器に対して電磁的障害のない面状発熱体を提供することができる。また炭素繊維糸を加熱することで遠赤外線が放射され、皮膚に対する刺激性が少なく、人の身体にやさしく作用するなどの遠赤外線効果も期待できる。
【発明を実施するための最良の形態】
【０００８】  以下、図面を参照しながら、本発明に係る実施の形態について説明する。【０００９】＜イ＞面状発熱体（図１）
図１にカーボン通電線２を埋め込んだ面状発熱体（電気毛布や電気カーペットなど）１の配線状態を示す。カーボン通電線２が面状発熱体１の放熱面に蛇行して配設されており、端子３（リード線３１）がコントローラ７に接続されている。面状発熱体１は、例えば図１（Ｂ）に示すようにカーボン通電線２を蛇行配設したカーボン発熱体ユニット１１を、表材１２と裏材１３とでサンドイッチ状に挟んで構成されている。コントローラ７の先にコード８を介してプラグ９が取り付けられている。プラグ９をコンセント（図示せず）に差し込むことでカーボン通電線２が発熱し、面状発熱体１が放熱する。【００１０】＜ロ＞カーボン通電線（図２）
カーボン通電線２は、図２（Ａ）に示すように針金や銅線などの弾性線材２２に炭素繊維糸よりなるカーボン抵抗体２０を巻き付けて、さらに全体を可撓性を有する樹脂等の絶縁被覆材２３で被覆したものである。あるいは絶縁被覆材２３で被覆する替わりに液状の樹脂等をカーボン抵抗体２０に塗布し、これを硬化させたものであってもよい。このカーボン抵抗体２０の両端に端子３を取り付けて、端子３を介して導通することでカーボン通電線２が発熱する。【００１１】  またカーボン通電線２は、図２（Ｂ）に示すように炭素繊維糸よりなるカーボン抵抗体２０を液状の樹脂等に浸して適度に硬化させたものであれば、弾性線材２２に巻き付けることなく、そのまま可撓性を有する樹脂等の絶縁被覆材２３で被覆してもよい。カーボン抵抗体２０を適度に硬化させてあるので、面状発熱体１の形状に応じて折曲させることや、製造工程において適宜に変形させることができる。【００１２】＜ハ＞カーボン抵抗体
カーボン抵抗体２０は、図２（Ｂ）に示すように例えばポリアクリロニトリルを原料とするＰＡＮ系炭素繊維素線２１を多数束ねてＰＡＮ系炭素繊維糸とし、このＰＡＮ系炭素繊維糸を複数本撚り合わせて構成した撚糸からなるものである。このようにＰＡＮ系炭素繊維糸を多数撚り合わせてなるカーボン抵抗体２０は、高弾性・高強度の特性があるが、発熱体としての充分な耐熱性及び強度を保つためには、太さ（直径）を１ｍｍ〜５ｍｍ程度とすることが望ましい。撚糸とすることで、単にＰＡＮ系炭素繊維糸を束ねた場合に比べてカーボン抵抗体２０がほどけにくくなっている。【００１３】＜ニ＞端子（図３）
端子３は、折り曲げ可能な導電性の帯状金属板３０と、これに接続されるリード線３１とで構成される（図３（Ａ）、（Ｃ）参照）。この端子３をカーボン通電線２に取り付けるには、先ずＴ字形の帯状金属板３０を形成し（図３（Ａ））、両側を垂直に折り曲げるとともに一部に切込み３２を入れ、さらに波状の凹凸部３３を形成しておく（図３（Ｂ））。ここにカーボン抵抗体２０（絶縁被覆材２３が除去され、露出した一端）を差し込み、凹凸部３３を折り曲げていく（図３（Ｂ））。さらに両側の垂直折曲部も折り曲げて凹凸部３３をカーボン抵抗体２０に圧着させる。舌片３４にリード線３１をスポット溶接して両端に端子３が取り付けられる（図３（Ｃ）、（Ｄ））。【００１４】  図４に端子３の他の例を示す。導電性の筒状部材３５を切り欠いて湾曲片３７を形成し、先端をやや丸く尖らせて電極ピン３６を形成する（図４（Ａ））。湾曲片３７にカーボン抵抗体２０（絶縁被覆材２３が除去され、露出した一端）の一端を差し込み、湾曲片３７を折り曲げてカーボン抵抗体２０に圧着させて端子３を構成する。この端子３を取り付けたカーボン通電線２を、図４（Ｂ）に示すように面状発熱体１の放熱面に蛇行して配設し、端子３を面状発熱体１に固定されたプラグ受け４の内部に組み込んでいる。コード８に設けたプラグ５をプラグ受け４に差し込むことでカーボン通電線２が発熱し、面状発熱体１が放熱する。【００１５】＜ホ＞作用
上記のように構成した面状発熱体１に通電すると、コントローラ７で通電量が調整されながらカーボン通電線２に電流が流れ、カーボン通電線２が発熱する。カーボン通電線２が、炭素繊維素線２１を複数本撚り合わせた撚糸よりなるため、カーボン通電線２には電流が均一に流れ、その表面全域において均一に高い発熱効率が得られる。また、カーボン抵抗体２０を絶縁被覆材２３で被覆しているので、高温環境下で使用してもカーボン抵抗体２０は酸化されることがなく、長寿命のカーボン通電線２が得られる。このため、カーボン通電線２を使用した面状発熱体１の寿命が大幅に延びる。【００１６】  またカーボン通電線２には、面状発熱体１の形状に応じて折曲させることや、製造工程において適宜に変形させることのできる可撓性、柔軟性が得られることから面状発熱体１の設計の自由度が大きくなる。カーボン通電線２の抵抗値は断面積に反比例し、長さに比例するため、撚り合わせる炭素繊維素線２１の径や、炭素繊維素線２１の本数の増減等によって必要な出力を設計することができる。【００１７】  次に図５に基づき、本発明の他の実施形態を説明する。図５は、面状発熱体１の断面図である。本例は、カーボン抵抗体２０をウレタン若しくはシリコン等の樹脂を主体とする絶縁基板１４で囲繞して、カーボン抵抗体２０を絶縁基板１４内に埋設したものである。カーボン抵抗体２０を液状樹脂等に浸して硬化させてあるので、面状発熱体１の形状に応じて折曲させることや、製造工程において適宜に変形させることができる。図示してないが、前記と同様にカーボン抵抗体２０の両端に端子３を取り付けてある。
【図面の簡単な説明】
【００１８】
【図１】面状発熱体を示す概略図。
【図２】カーボン通電線を示す斜視図。
【図３】端子の製造工程を示す概略図。
【図４】端子の他の例を示す図で、（Ａ）はカーボン通電線と端子との関係を示す図で、（Ｂ）はこの端子を面状発熱体に使用した場合を示す図。
【図５】面状発熱体の他の例を示す断面図。
【符号の説明】
【００１９】１・・・・面状発熱体
２・・・・カーボン通電線
２０・・・カーボン抵抗体
３・・・・端子
３６・・・電極ピン
４・・・・プラグ受け
５・・・・プラグ
７・・・・コントローラ
【図１】
2009259751.tif 000003
【図２】
2009259751.tif 000004
【図３】
2009259751.tif 000005
【図４】
2009259751.tif 000006
【図５】
2009259751.tif 000007